(57)【特許請求の範囲】
【請求項１】
撮影済みの写真フイルムを巻き上げる際に回転操作される巻上げノブと、写真フイルムのパーフォレーションに噛合して従動回転するスプロケットと、このスプロケットと同軸で一体に回転するカム部材と、チャージ位置とレリーズ完了位置との間で回動自在とされ、カム部材の押圧によりチャージ位置に回動されるシャッタ駆動レバーと、このシャッタ駆動レバーをレリーズ完了位置に向けて付勢するレリーズバネと、該写真フイルムの１コマ分の巻き上げ完了ごとに巻き上げ操作のロックとシャッタ駆動レバーのチャージ位置での保持とを行い、シャッタボタンの押圧に連動して写真フイルムの巻き上げ操作のロックの解除とシャッタ駆動レバーの保持解除とを行うフイルム巻止め手段とを備えたシャッタ機構において、
前記フイルム巻止め手段は、写真フイルムの巻き上げに連動して移動される部品に係合して巻き上げ操作を阻止するロック位置と、前記部品への係合を解除して写真フイルムの巻き上げ操作を許容するロック解除位置との間で回動自在とされたロックレバーと、このロックレバーをロック位置に向けて付勢するロックバネと、シャッタ駆動レバーをチャージ位置で保持する保持位置とこの保持を解除する保持解除位置との間で回動自在とされたチャージレバーと、このチャージレバーを保持位置に向けて付勢するチャージバネとからなり、該ロックレバーはレリーズ完了位置に回動するシャッタ駆動レバーの回転力を利用してロック解除位置に回動することを特徴とするシャッタ機構。
【請求項２】
前記ロックレバーとチャージレバーとは、同軸上に設けられていることを特徴とする請求項１記載のシャッタ機構。
【発明の詳細な説明】
【０００１】
【発明の属する技術分野】
本発明は、写真フイルムの移送により駆動されるシャッタ機構の改良に関するものである。
【０００２】
【従来の技術】
簡単な露光機構を備えるとともに、予め未露光の写真フイルムとパトローネとが製造時に装填され、面倒なフイルム装填と巻戻し操作とを不要にしたレンズ付きフイルムユニットが本出願人より製造販売されている。このようなレンズ付きフイルムユニットでは、１コマの撮影ごとにパトローネのスプールに係合された巻上げノブを回転操作して露光済みの写真フイルムをパトローネ内に巻き上げ、現像処理の際には露光済みの写真フイルムが全て収納されたパトローネをレンズ付きフイルムユニットから取り出すようになっている。
【０００３】
レンズ付きフイルムユニットの内部には、写真フイルムのパーフォレーションに噛合し、写真フイルムの移送に従動回転するスプロケットと、このスプロケットと同軸で一体に回転されるカム部材と、このカム部材に押圧されてシャッタチャージされるシャッタ駆動レバーと、写真フイルムの１コマ分の巻上げ完了ごとに巻上げノブとカム部材とに係合してフイルム巻き止めを行うとともに、シャッタ駆動レバーをチャージ位置で保持し、シャッタボタンの押圧に連動してフイルム巻き止めとシャッタ駆動レバーのチャージ位置での保持とを解除するフイルム巻止め手段である係止レバー等を含むシャッタ機構を備えている。
【０００４】
【発明が解決しようとする課題】
上記レンズ付きフイルムユニットでは、シャッタボタンをレリーズ直前まで押圧した状態で巻上げノブを回転操作すると、フイルム巻き止めが掛からなくなって未露光の写真フイルムがパトローネ内に巻き上げられてしまうという問題があった。これは、ユーザーの誤操作を防止するために従来のレンズ付きフイルムユニットでは、シャッタ駆動レバーによるシャッタレリーズがなされる前に係止レバーによるフイルム巻き止めを解除するような構造となっていたためである。
【０００５】
また、レンズ付きフイルムユニットのタイプによっては、シャッタボタンのレリーズ直前までの押圧で係止レバーと巻上げノブとの係合のみが解除されてしまうことがある。この状態で巻上げノブを無理に回転操作すると、巻き止めされている写真フイルムに強いテンションが掛り、シャッタレリーズとともに写真フイルムへのテンションが瞬間的に開放されて撮影位置にある写真フイルムに振動が発生し、画質が劣化するという問題もある。
【０００６】
本発明は、上記問題点を解決するためになされたもので、完全にシャッタレリーズが完了した後にフイルム巻き止めが解除されるシャッタ機構を提供することを目的とする。
【０００７】
【課題を解決するための手段】
上記問題点を解決するために、請求項１記載のシャッタ機構は、写真フイルムの巻き上げに連動して移動される部品に係合して巻き上げ操作を阻止するロック位置と、前記部品への係合を解除して写真フイルムの巻き上げ操作を許容するロック解除位置との間で回動自在とされたロックレバーと、このロックレバーをロック位置に向けて付勢するロックバネと、シャッタ駆動レバーをチャージ位置で保持する保持位置とこの保持を解除する保持解除位置との間で回動自在とされたチャージレバーと、このチャージレバーを保持位置に向けて付勢するチャージバネとからフイルム巻止め手段を構成し、該ロックレバーはレリーズ完了位置に回動するシャッタ駆動レバーの回転力を利用してロック解除位置に回動するようにしたものである。
【０００８】
更に、請求項２記載のシャッタ機構は、ロックレバーとチャージレバーとを同軸上に設けたものである。
【０００９】
【発明の実施の形態】
図２は、本発明のシャッタ機構を組み込んだレンズ付きフイルムユニット２の外観を示すものである。レンズ付きフイルムユニット２は、予めフイルムカートリッジが装填され、各種撮影機構が組み込まれたユニット本体３と、このユニット本体３を部分的に覆うラベル４とから構成されている。ユニット本体３の上面には、シャッタボタン５，残り撮影可能枚数を表示するカウンタ窓６が、前面にはファインダ７，撮影レンズ８等が設けられている。また、背面側からは１コマの撮影毎に回転操作される巻上げノブ９が露呈されている。ラベル４は、ユニット本体３の中央部分に貼付され、撮影レンズ８やファインダ７，カウンタ窓６等を外部に露呈させる開口が形成されている。
【００１０】
図３に示すように、ユニット本体３は、本体部１１，後カバー１２，露光ユニット１３，前カバー１４から構成されている。前カバー１４は、本体部１１の前面に着脱自在に取り付けられる。この前カバー１４の上面には、一部を切り欠いて弾性自在に形成したシャッタボタン５が設けられている。このシャッタボタン５の下部には、露光ユニット１３に組み込まれているシャッタ機構のフイルム巻止め手段を巻止め状態から解除する押圧ロッド１６が一体に形成されている。
【００１１】
本体部１１には、略円柱形状のカートリッジ本体１８を収納するカートリッジ室１９と、ロール状に巻かれた未露光の写真フイルム２０を収納するフイルムロール室２１とが一体に形成されている。カートリッジ室１９とフイルムロール室２１との背面及び底面は開放されており、カートリッジ本体１８と写真フイルム２０とを装填した後に後カバー１２が装着され、この後カバー１２に一体に形成された底蓋２２，２３が閉じられることによって光密に維持される。
【００１２】
フイルムカートリッジ２５は、カートリッジ本体１８と写真フイルム２０とからなる。カートリッジ本体１８はプラスチックで形成されており、内部にスプール２６が回転自在に収納されている。このフイルムカートリッジ２５は、未使用時には写真フイルム２０を全てカートリッジ本体１８内に収納してカメラ等への装填が簡単に行えるようになっている。また、使用時には、スプール２６をフイルム送出し方向に回転させることによりフイルム出入り口（図示せず）から写真フイルム２０を送り出す機構を備えている。なお、フイルム出入り口には、フイルム出入り口を開放する位置と閉鎖する位置との間で回動自在とされた遮光蓋２７が組み込まれている。
【００１３】
写真フイルム２０は、一方の側縁に沿ってサイズの異なった大小２個のパーフォレーション２９，３０が２種類の間隔で交互に配列されており、間隔の長いパーフォレーション２９，３０の間に１コマの撮影画面３１が配置される。写真フイルム２０の一端はカートリッジ本体１８内のスプール２６に係止されており、巻上げノブ９の回転操作によってカートリッジ本体１８内に巻き上げられていく。
【００１４】
カートリッジ室１９とフイルムロール室２１との間には、暗箱３３が設けられている。暗箱３３の背面側にはアパーチャーが形成されており、暗箱３３の前面側には、撮影レンズ８を透過した被写体光をアパーチャーに導くための開口３４が形成されている。また、暗箱３３の上方には、詳しくは後述するスプロケットを写真フイルム２０に向けて露呈させるための開口３３ａが形成されている。この開口３３ａは、撮影レンズ８側から見たアパーチャーに対して上方左側に形成されている。
【００１５】
巻上げノブ９は、カートリッジ室１９の上面に回転自在に組み付けられ、カートリッジ室１９に装填されたカートリッジ本体１８のスプール２６に係合する。この巻上げノブ９は、一部が後カバー１２から背面側に露呈されており、この露呈された部分をフイルム巻上げ方向（図中反時計方向）に回転操作することにより、スプール２６が同方向に回転されて撮影済みの写真フイルム２０がカートリッジ本体１８内に収納される。巻上げノブ９の外周には歯列９ａが形成されており、この歯列９ａには本体部１１に設けられた逆止爪３６が係合する。この逆止爪３６は、巻上げノブ９がフイルム巻上げ方向とは逆の方向（図中時計方向）に回転操作されることを禁止している。
【００１６】
また、図示しないが、カートリッジ室１９の上面と、カートリッジ室１９と暗箱３３との間には、底蓋２２を開放する操作に連動してカートリッジ本体１８の遮光蓋２７を閉鎖する遮光蓋閉鎖機構が組み込まれている。
【００１７】
図１及び図４に示すように、露光ユニット１３は、暗箱３３の前面に着脱自在に組み付けられるベース部材３８に各種部品が組み付けられてユニット化されたものとなっている。ベース部材３８の上面には、シャッタ機構を構成する複数の部品が組み付けられるとともに、ファインダ７を構成する対物レンズ３９ａ，接眼レンズ３９ｂが保持されている。ベース部材３８の前面には撮影レンズ８を保持するレンズユニット４０が組み付けられており、このレンズユニット４０とベース部材３８との間には、写真フイルム２０への露光を行う露光開口が形成され、この露光開口を開閉するシャッタ羽根４１が揺動自在に組み付けられている。
【００１８】
ベース部３８の上面には、軸４３，４４，４５，軸受け部４６が形成されている。軸４３には、シャッタ駆動レバー４７，レリーズバネ４８，カウンタ板４９が順に挿入される。軸４４には、フイルム巻止め手段であるチャージバネ５０，チャージレバー５１，ロックレバー５２，ロックバネ５３が順に挿入される。軸４５には、連動レバー５４が回動自在に挿入される。軸受け部４６には、カム部材５５が挿入される。
【００１９】
軸受け部４６は下方まで穴が貫通されており、挿入されたカム部材５５の軸部５７は下方から突出される。突出された軸部５７にはスプロケット５８が係合され、スプロケット５８は暗箱３３の上部の開口３３ａから写真フイルム２０に向けて露呈される。スプロケット５８の外周には、隣合うコマ間の後部側と先頭側との近接した一対の大小パーフォレーション２９，３０に順次に噛合する一対の大小の歯５８ａ，５８ｂが、回転対称で２対設けられている。そして、スプロケット５８は、１コマ分の写真フイルム２０がカートリッジ本体１８内に巻き上げられる際のフイルム移送に従動して、図中反時計方向に半回転される。
【００２０】
カム部材５５は、上方から順に、二歯ギヤ６０，巻止めカム６１，チャージカム６２，付勢カム６３，そして軸部５７が一体に形成されたものとなっている。二歯ギヤ６０は、カウンタ板４９の外周に形成された歯４９ａに噛合する。カウンタ板４９の上面には撮影可能枚数を表す目盛りが記されており、二歯ギヤ６０は半回転でカウンタ板４９を一目盛り分だけ歩進させる。巻止めカム６１は、外周に回転対称に配置された一対の溝６１ａが設けられており、半回転するごとにロックレバー５２が係合する。チャージカム６２は、回転対称で形成された一対の羽根形状の突起からなり、回転中にシャッタ駆動レバー４７を押圧して、シャッタ駆動レバー４７がシャッタチャージされる方向に回動させる。
【００２１】
付勢カム６３は、１８０°の回転対称で形成された一対の突起からなり、ベース部材３８の上面に組み付けられた付勢バネ６５によって押圧される。写真フイルム２０にはパーフォレーションが連続的に設けられていないことから、スプロケット５８の歯５８ａ，５８ｂがパーフォレーション２９，３０のいずれとも噛合されない状態が発生してしまう。この状態のときに付勢カム６３が付勢バネ６５によって押圧されることにより、カム部材５５を従動方向に回動させるようになっている。これにより、スプロケット５８の小歯５８ｂは、次のパーフォレーション３０に噛合可能な位置まで移動される。付勢バネ６５は、金属薄板を屈曲させた板バネとなっている。
【００２２】
シャッタ駆動レバー４７は、図中時計方向のチャージ位置と反時計方向のレリーズ完了位置との間で回動自在とされており、レリーズバネ４８によってレリーズ完了位置に向けて付勢されている。シャッタ駆動レバー４７には、チャージ位置に向けて回動するようにチャージカム６２に押圧される被押圧部４７ａと、チャージ位置にある際にチャージレバー５１に係止される被係止突起４７ｂと、チャージ位置からレリーズ完了位置に回動する際にシャッタ羽根４１を蹴飛ばして露光開口を開放させる蹴飛ばし部４７ｃと、レリーズ完了位置に回動した際に連動レバー５４の一端５４ａを押圧する押圧突起４７ｄとが一体に形成されている。
【００２３】
チャージレバー５１は、チャージ位置にあるシャッタ駆動レバー４７に係合して保持する図中時計方向の保持位置と、この保持を解除する反時計方向の保持解除位置との間で回動自在となっており、チャージバネ５０によって保持位置に向けて付勢されている。チャージレバー５１には、シャッタ駆動レバー４７の被係止突起４７ｂを係止する係止突起５１ａと、前カバー１４に形成された押圧ロッド１６によって保持解除位置に向けて押圧される被押圧部５１ｂと、ロックレバー５２に当接するストッパー５１ｃとが一体に形成されている。
【００２４】
ロックレバー５２は、巻上げノブ９と巻止めカム６１とに係合して回転をロックする図中時計方向のロック位置と、このロックを解除する反時計方向のロック解除位置との間で回動自在となっており、ロックバネ５３によってロック位置に向けて付勢されている。ロックレバー５２には、ロック位置にある際に巻上げノブ９の歯列９ａに噛合してロックするノブロック爪５２ａと、巻止めカム６１の溝６１ａに係合してロックするカムロック爪５２ｂとが一体に形成されている。
【００２５】
また、カムロック爪５２ｂの下方には、シャッタ駆動レバー４７によって押圧されて回動した連動レバー５４の他端５４ｂに押圧される連動突起５２ｃが一体に形成されており、この連動突起５２ｃが連動レバー５４によって押圧されると、ロックレバー５２はロックバネ５３の付勢に抗してロック解除位置に回動される。なお、連動突起５２ｃは、巻止めカム６１やチャージカム６２との干渉を避けるために下方に配置されている。
【００２６】
このように、チャージレバー５１とロックレバー５２とを同軸上に設けることにより、従来の係止レバーと同程度のスペースに組み込むことができる。また、係止レバーを用いる露光ユニットを僅かに改造することでチャージレバー５１とロックレバー５２とを組み込むことができる。なお、レリーズバネ４８は、ロックバネ５３の付勢に抗してロックレバー５２を回動させるために、ロックバネ５３よりも付勢力の強いものが用いられる。
【００２７】
ベース部材３８の上部には天板６７が組み付けられる。この天板６７は、穴６７ａで軸４３の上端を支持し、切欠６７ｂでカム部材５５の上端を支持する。また天板６７は全体が透明なプラスチックで形成されており、符号６８はカウンタ板４９の上面に記された目盛りを拡大表示するレンズとなっている。
【００２８】
次に上記実施形態の作用について説明する。図４に示すように、露光ユニット１３のシャッタ機構がシャッタチャージされている状態では、ロックレバー５２はロックバネ５３の付勢によってロック位置に回動しており、ノブロック爪５２ａとカムロック爪５２ｂとが巻上げノブ９と巻止めカム６１とに係合してその回転をロックしている。チャージレバー５１は、チャージバネ５０の付勢によってストッパー５１ｃがロックレバー５２に当接する位置、すなわち保持位置まで回動しており、係止突起５１ａをシャッタ駆動レバー４７の被係止突起４７ｂに係合させ、レリーズバネ４８の付勢に抗してシャッタ駆動レバー４７をチャージ位置で保持している。
【００２９】
ファインダ７で撮影範囲を確認しシャッタボタン５を押下すると、図５に示すように、二点鎖線の位置にあった押圧ロッド１６が移動してチャージレバー５１の被押圧部５１ｂを押圧する。チャージレバー５１は、係止突起５１ａによってシャッタ駆動レバー４７の被係止突起４７ｂを係止したままチャージバネ５０の付勢に抗して保持解除位置に向けて回動される。
【００３０】
チャージレバー５１の保持解除位置への回動の間、ロックレバー５２はロックバネ５３の付勢によって巻上げノブ９とカム部材５５とのロックを継続している。これにより、シャッタボタン５をレリーズ直前まで押圧して巻上げノブ９をフイルム巻上げ方向に回動させても、巻上げノブ９はロックレバー５２によってロックされているので回動することはなく、写真フイルム２０にテンションが掛かることはない。
【００３１】
図６に示すように、チャージレバー５１が更に保持解除位置に向けて回動されると、係止突起５１ａとシャッタ駆動レバー４７の被係止突起４７ｂとの係合が外れる。チャージ位置での係止が解除されたシャッタ駆動レバー４７は、レリーズバネ４８の付勢によってレリーズ完了位置である図中反時計方向に向けて回動する。レリーズ完了位置に向けて回動したシャッタ駆動レバー４７は、ベース部材３８とレンズユニット４０との間に組み込まれたシャッタ羽根４１を蹴飛ばし部４７ｃで蹴飛ばして露光開口を開放させる。シャッタ羽根４１は、バネによって露光開口を塞ぐ方向に付勢されているので露光開口はすぐに閉じられる。
【００３２】
また、シャッタ羽根４１を蹴飛ばしたシャッタ駆動レバー４７は、押圧突起４７ｄで連動レバー５４の一端５４ａを押圧し、図中時計方向に回動させる。回動された連動レバー５４は、他端５４ｂでロックレバー５２の連動突起５２ｃを押圧し、ロックバネ５３の付勢に抗してロックレバー５２をロック解除位置に向けて回動させる。これにより、ロックレバー５２による巻上げノブ９とカム部材５５とのロックが解除される。
【００３３】
シャッタボタン５の押圧を中止すると、チャージレバー５１はチャージバネ５０の付勢によって保持位置に回動しようとするが、係止突起５１ａの側面がシャッタ駆動レバー４７の被係止突起４７ｂの側面に当接するので、その回動は阻止され、チャージレバー５１は保持解除位置に維持される。このように、シャッタ駆動レバー４７と連動レバー５４とによって、確実にシャッタレリーズ後にフイルム巻き止めが解除される。
【００３４】
再びシャッタ機構をシャッタチャージ状態とするために、巻上げノブ９を図中半時計方向であるフイルム巻上げ方向に回転操作すると、巻上げノブ９に係合されたスプール２６が回転し、１コマ分の露光済みの写真フイルム２０がカートリッジ本体１８内に巻き上げられる。
【００３５】
写真フイルム２０の移動と付勢バネ６５の付勢とにより、スプロケット５８とカム部材５５とは反時計方向に半回転される。この半回転の間にチャージカム６２はシャッタ駆動レバー４７の被押圧部４７ａを押圧し、レリーズバネ４８の付勢に抗してチャージ位置に向けて回動させる。また、カム部材５５の二歯ギヤ６０は、半回転でカウンタ板４９を一目盛り分歩進させる。
【００３６】
ロックレバー５２は、ロックバネ５３の付勢によってロック位置に向けて回動しようとするが、カムロック爪５２ｂが巻止めカム６１の外周面に当接するため、ロック位置までは回動されない。また、チャージレバー５１もチャージバネ５０の付勢によってチャージ位置に回動しようとするが、ストッパー５１ｃがロックレバー５２に当接するためチャージ位置までは回動されない。
【００３７】
カム部材５５の半回転によって巻止めカム６１の溝６１ａがカムロック爪５２ｂに対面すると、ロックバネ５３の付勢によってロックレバー５２がロック位置に向けて回動し、カムロック爪５２ｂを溝６１ａに係合させてカム部材５５の回転をロックする。ノブロック爪５２ａも巻上げノブ９の歯列９ａに係合するので巻上げノブ９の回転もロックされる。
【００３８】
また、チャージレバー５１は、ロックレバー５２の回動によってストッパー５１ｃの当接が解除されるので、チャージバネ５０の付勢によって保持位置に回動される。そして、チャージ位置にあるシャッタ駆動レバー４７の被係止突起４７ｂに係止突起５１ａを係合させ、シャッタ駆動レバー４７をチャージ位置で保持する。これにより、露光ユニット１３のシャッタ機構は、図４に示すように、再びシャッタチャージがなされた状態となり、レンズ付きフイルムユニット２の撮影準備が完了する。
【００３９】
なお、上記実施形態では、写真フイルムの１コマ分の巻き上げ完了の際に、ロックレバーを巻上げノブとカム部材とに係合させて巻き上げ操作のロックを行ったが、巻上げレバーのみ、あるいはカム部材のみに係合させて巻き上げ操作のロックを行うようにしてもよい。また、巻上げレバー，カム部材に限らず、写真フイルムの巻き上げに連動して回転，移動する部品ならば、ロックレバーを係合させて巻き上げ操作のロックを行うことができる。
【００４０】
また、シャッタ駆動レバーの回転力を利用したによるロックレバーのロック解除位置への回動は、間に連動レバーを介在させて行うようにしたが、シャッタ駆動レバーで直接ロックレバーを押圧することもできる。また、プラスチック製のフイルムカートリッジが装填されたレンズ付きフイルムユニットを例に説明したが、１３５サイズのフイルムパトローネを装填したレンズ付きフイルムユニットにも採用することができ、更に低価格なカメラにも用いることができる。
【００４１】
【発明の効果】
以上説明したように、本発明のシャッタ機構は、フイルム巻き止めとシャッタ駆動レバーのチャージ位置での保持とを専用の部品であるロックレバーとチャージレバーとで行い、ロックレバーによるフイルム巻き止めをシャッタ駆動レバーのレリーズ完了位置への回動を利用して解除するようにしたので、チャージレバーによるシャッタ駆動レバーのチャージ位置での保持が解除されない限りフイルム巻き止めが解除されることはないので、シャッタボタンの半押し状態でのフイルム巻き上げを防止することができ、ユーザーの誤操作によるフイルム未露光や画質の低下という撮影の失敗を防止することができる。
【００４２】
また、チャージレバーとロックレバーとを同軸上に設けたので、従来の係止レバーが組み込まれていた位置に僅かな改造で組み込むことができ、低コストに採用することができる。
【図面の簡単な説明】
【図１】本発明のシャッタ機構が組み込まれた露光ユニットの構成を示す分解斜視図である。
【図２】レンズ付きフイルムユニットの外観を示す斜視図である。
【図３】ユニット本体の構成を示す分解斜視図である。
【図４】フイルム巻止め時のシャッタ機構の状態を示す平面図である。
【図５】シャッタレリーズ直前のシャッタ機構の状態を示す平面図である。
【図６】シャッタレリーズ終了後のシャッタ機構の状態を示す平面図である。
【符号の説明】
２  レンズ付きフイルムユニット
３  ユニット本体
１３  露光ユニット
１８  カートリッジ本体
２０  写真フイルム
４７  シャッタ駆動レバー
４８  レリーズバネ
５０  チャージバネ
５１  チャージレバー
５２  ロックレバー
５３  ロックバネ
５４  連動レバー
５５  カム部材
【図１】
0003633139.tif 000002
【図２】
0003633139.tif 000003
【図３】
0003633139.tif 000004
【図４】
0003633139.tif 000005
【図５】
0003633139.tif 000006
【図６】
0003633139.tif 000007